(57)【要約】【課題】シロアリが壁の内部に生息している場合にも、シロアリを誘引することによってシロアリの駆除効率を高めることが可能なシロアリ駆除装置を提供する。【解決手段】シロアリの毒餌を収容する筐体３と、シロアリの蟻道又はシロアリの食害の発生箇所の面に当接する筐体３の底板上に設置された、シロアリの誘引物質を保持するための誘引物質保持部材２ｃとを備えた構成とした。このシロアリ駆除装置１をシロアリの蟻道又はシロアリの食害の発生箇所の面に設置すると、誘引物質保持部材から揮発する誘引物質により、シロアリがシロアリ駆除装置１の筐体３内に誘引される。そして、筐体３内のシロアリ駆除剤を捕食させることができ、駆除効果が向上する。【選択図】　　　　　図２
2004135555.tif 000002
【特許請求の範囲】
【請求項１】
シロアリの蟻道又はシロアリの食害の発生箇所の面に設置して、シロアリにシロアリ駆除剤を捕食させることによってシロアリの駆除を行うために使用されるシロアリ駆除装置であって、
シロアリの毒餌を収容する筐体と、
シロアリの蟻道又はシロアリの食害の発生箇所の面に当接する前記筐体の底板上に設置された、シロアリの誘引物質を保持するための誘引物質保持部材と、
を備えていることを特徴とするシロアリ駆除装置。
【請求項２】
前記底板面は、前記誘引物質保持部材が設置された箇所において、開口が形成されていることを特徴とする請求項１記載のシロアリ駆除装置。
【発明の詳細な説明】
【０００１】
【発明の属する技術分野】
本発明は、シロアリ駆除剤が含まれた毒餌をシロアリに捕食させ、シロアリを駆除するために使用されるシロアリ駆除装置に関する。
【０００２】
【従来の技術】
従来より、シロアリを駆除する技術として、シロアリにシロアリ駆除剤の含まれた毒餌を捕食させて、シロアリを巣ごと根絶するシロアリ駆除技術が知られている。このような方法によるシロアリ駆除に使用されるものとして、シロアリの蟻道のある面やシロアリの食害が発生した箇所の壁面にシロアリの毒餌を設置して、シロアリに捕食させるためのシロアリ駆除装置が知られている（例えば、特許文献１参照）。
【０００３】
図９は特許文献１記載の従来のシロアリ駆除装置の分解斜視図である。
図９において、従来のシロアリ駆除装置１０１は、壁面１００に螺子止めにより固定される方形状の毒餌収納枠１０２の内部に、シロアリの毒餌１０３が収納される。毒餌１０３は、抑板１０４により抑えられて毒餌収容枠１０２内に固定される。そして、毒餌収容枠１０２の開口面は、枠蓋１０５により閉蓋される。かかる構成からなるシロアリ駆除装置１０１は、枠蓋１０５の２隅に設けられた螺子穴１０５ａ，１０５ｂ及び毒餌収納枠１０２の２隅に設けられた螺子穴１０２ａ，１０２ｂを通して、螺子により毒餌収納枠１０２及び枠蓋１０５を壁１００に固定される。
【０００４】
枠蓋１０５の裏面には、スポンジ等の水分保持材１０５ｃが貼着されている。そして、水分保持材１０５ｃに水分を保持させることにより、毒餌収容枠１０５ｃ内部の湿度を、シロアリの生息しやすいレベルに保つように調節されている。
【０００５】
一方、シロアリの食害の発生箇所は、一般には木材の内部にあることが多い。このような場合、シロアリ駆除装置１０１は、図１０に示すように設置される。
【０００６】
図１０では、壁１００の内部にあるシロアリの食害発生箇所１０７に達する穴１０８を壁面にドリルで穿孔し、その穴の上部にシロアリ駆除装置１０１を設置している。
【０００７】
このように設置することによって、シロアリは穴１０８を通って毒餌１０３を発見し、毒餌１０３を捕食するようになる。そして、シロアリは、このシロアリ駆除剤が含まれた毒餌を捕食することによって駆除される。
【０００８】
【特許文献１】
特表２０００−５０９９８２号公報
【０００９】
【発明が解決しようとする課題】
しかしながら、一般にシロアリは環境の変化に敏感であり、特に、空気の流れや乾燥を嫌う傾向にある。従って、壁１００の表面にシロアリ駆除装置を設置しても、シロアリがあまり好まない環境であれば、穴１０８に蓋をして、シロアリ駆除装置１０１の内部には侵入せず、毒餌１０３にシロアリが引き寄せられない場合がある。
【００１０】
そのため、従来のシロアリ駆除装置１０１では、毒餌収納枠１０２の内部の湿度を調節するために水分保持材１０５ｃを枠蓋１０５の裏面に設け、毒餌収納枠１０２の内部の湿度を適度に保つように工夫されている。しかし、水分保持材１０５ｃは枠蓋１０５ｃの裏面に取り付けられているため、毒餌１０３の表面は適度な湿度に保たれていても、毒餌１０３の裏面は適度な湿度ではない場合も生じ得る。そして、毒餌収納枠１０２内が適度な湿度に保たれていても、穴１０８内が乾燥している場合などもあり得る。
【００１１】
このような場合、シロアリは毒餌１０３には寄りつかず、穴１０８に蓋をして壁１００の内部から出てこないため、シロアリの駆除を行うことができない。
【００１２】
そこで、本発明の目的は、シロアリが壁の内部に生息している場合にも、シロアリを誘引することによってシロアリの駆除効率を高めることが可能なシロアリ駆除装置を提供することにある。
【００１３】
【課題を解決するための手段】
本発明に係るシロアリ駆除装置は、シロアリの蟻道又はシロアリの食害の発生箇所の面に設置して、シロアリにシロアリ駆除剤を捕食させることによってシロアリの駆除を行うために使用されるシロアリ駆除装置であって、シロアリの毒餌を収容する筐体と、シロアリの蟻道又はシロアリの食害の発生箇所の面に当接する前記筐体の底板上に設置された、シロアリの誘引物質を保持するための誘引物質保持部材と、を備えていることを特徴とする。
【００１４】
これにより、誘引物質保持部材にシロアリの誘引物質を保持させることで、シロアリの蟻道又はシロアリの食害の発生箇所の近傍に、シロアリの誘引物質を配置することができる。そのため、シロアリがシロアリ駆除装置の筐体内に誘引され、シロアリが、筐体内の毒餌を捕食する確率が向上する。
【００１５】
ここで、誘引物質保持部材は液体容器のようなものや、スポンジ、コルク等の多孔質部材等が使用される。シロアリ駆除装置を使用する際には、これらの誘引物質保持部材に誘引物質を入れ、又は誘引物質を浸透させて保持させる。
【００１６】
また、本発明においては、前記底板面は、前記誘引物質保持部材が設置された箇所において、開口が形成されているように構成することができる。
【００１７】
これにより、誘引物質保持部材に保持された誘引物質は揮発して、底板面の開口からシロアリの蟻道又はシロアリの食害の発生箇所に流れ込む。そのため、シロアリの誘因効果が大きくなる。従って、より効果的にシロアリをシロアリ駆除内に誘引し毒餌を捕食させることが可能となる。
尚、誘引物質保持部材にスポンジのような多孔質材料を用いた場合には、このスポンジを、底板面の開口を通してシロアリの食害の発生箇所の壁面に押しつければ、誘引物質はスポンジから壁面に浸透する。従って、この壁面に浸透した誘引物質がシロアリを誘引する。
【００１８】
【発明の実施の形態】
以下、本発明の一実施形態について、図面を参照しながら説明する。
【００１９】
図１は本発明の実施形態に係るシロアリ駆除装置の斜視図、図２は本発明の実施形態に係るシロアリ駆除装置の側面破断面図、図３はベース部材の底部を構成するベース枠の斜視図、図４はベース部材の底部を構成するベース枠の平面図、図５はベース部材アセンブリの斜視図、図６はベース部材アセンブリの側面破断面図である。
【００２０】
図１〜６において、シロアリ駆除装置１は、家屋の壁、土台、柱等に取り付けられる方形平箱状のベース部材２、ベース部材２に脱着可能に装着された円筒状の毒餌収納部材３、及び、毒餌収納部材３の開口部に脱着可能に装着された円板状の筒蓋４を有している。これらのベース部材２、毒餌収納部材３、及び筒蓋４によりシロアリ駆除装置１の筐体が構成される。
【００２１】
ベース部材２は、底部を構成する方形平板枠状のベース枠２ａと、ベース枠２ａの上面に装着されたベース天板２ｂと、ベース枠２ａ上面の中央部に貼着された誘引物質保持部材２ｃとから構成されている。
【００２２】
ベース枠２ａは、方形平板状の外枠２ｄの中心に、誘引物質保持部材２ｃを貼着するための平板状の貼着板２ｅが設けられており、外枠２ｄの対角線に沿って、外枠２ｄと貼着板２ｅとは平板状の連結板２ｆにより連結されている。更に、貼着板２ｅの中央部分には、誘引物質保持部材２ｃの誘引物質を、ベース枠２ａの底部の壁等に浸透させるために、開口部２ｇが形成されている。
【００２３】
誘引物質保持部材２ｃは、スポンジ等の多孔質材料で構成されており、シロアリ誘引物質を吸収し保持することができる。そして、誘引物質保持部材２ｃに保持された誘引物質は、開口部２ｇを通って、その下部にある壁等に浸透することができるようにされている。
【００２４】
外枠２ｄは内周部２ｄ’と外周部２ｄ”とで板厚が異なり、外周部２ｄ”の板厚は０．５ｍｍ、内周部２ｄ’の板厚は１ｍｍとされている。尚、連結板２ｆ及び貼着板２ｅの板厚も、内周部２ｄ’と同じ１ｍｍに形成されている。更に、外枠２ｄの外周縁に沿って、５ｍｍの高さの側板２ｈが垂直に立設されており、側板２ｈの板厚は０．５ｍｍとされている。
【００２５】
外枠２ｄの４つの角部付近には、外枠２ｄを壁等に固定する螺子を通すための固定螺子穴２ｉが穿孔されており、また、４つの連結板２ｆの中央部付近には、外枠２ｄを壁等に仮止めする螺子を通すための仮止螺子穴２ｊが穿孔されている。
【００２６】
ベース天板２ｂは、ベース枠２ａの方形枠状の側板２ｈの上端面を覆うように設けられている。そして、ベース天板２ｂ上には、ベース枠２ａの固定螺子穴２ｉに対向する位置に、固定螺子穴２ｉ’が穿孔されている。そして、固定螺子穴２ｉ’，２ｉを貫通して螺着される固定用螺子により、ベース天板２ｂはベース枠２ａに固定されるとともに、ベース枠２ａは壁等に固定される。
【００２７】
また、ベース天板２ｂの中央部には、円筒状の毒餌収納部材３が装着される開口部２ｋが形成されている。そして、開口部２ｋの周囲には、円筒状の突起部２ｌが形成されており、この突起部２ｌの内部には雌螺子２ｍが形成されている。
【００２８】
一方、毒餌収納部材３の一端部外壁には、雄螺子が形成されており、毒餌収納部材３は、突起部２ｌの内周側に螺着され固定されている。毒餌収納部材３のもう一方の側の端部外壁にも雄螺子が形成されている。そして、筒蓋４は、有底端円筒状に形成され、その筒内には雌螺子が形成されており、毒餌収納部材３のもう一方の側の端部に螺着されている。尚、筒蓋４の上面には、筒蓋４を取り外すときに回しやすくするための摘み４ａが突起状に形成されている。
【００２９】
以上のように構成された、本実施形態に係るシロアリ駆除装置について、以下、その作用について説明する。
【００３０】
図７はシロアリ駆除装置を内部にシロアリによる食害発生箇所がある壁に設置した状態を表す図である。
【００３１】
図７において、シロアリ駆除装置１を設置するに当たって、壁１０の表面から、壁１０の内部のシロアリの食害発生箇所１１に達する穴１２をドリルで穿孔する。そして、穴１２の開口部にシロアリ駆除装置１を設置する。このとき、シロアリ駆除装置１のベース枠２ａの中央にある開口部２ｇが、ちょうど穴１２の開口部のある場所に位置するように、シロアリ駆除装置１を設置する。
【００３２】
以上のように設置されたシロアリ駆除装置１において、シロアリ駆除装置１内の誘引物質保持部材２ｃに保持された誘引物質は揮発して、穴１２を通って、シロアリによる食害発生箇所１１に達する。食害発生箇所１１にいるシロアリは、誘引物質に誘引され、穴１２を通ってシロアリ駆除装置１の内部に侵入してくる。そして、毒餌８を発見し、毒餌８を捕食する。作業者は、シロアリが毒餌８を捕食するようになったことを確認すると、筒蓋４を開けて毒餌８をシロアリ駆除剤に取り替える。これにより、シロアリはシロアリ駆除剤を捕食してシロアリ食害発生箇所１１にいるシロアリは駆除される。
【００３３】
このように、本実施形態に係るシロアリ駆除装置１によれば、シロアリの食害発生箇所１１の近傍においたシロアリ誘引物質によりシロアリをシロアリ駆除装置１内に積極的に誘引して、シロアリに毒餌８を捕食させることができるため、シロアリの駆除効果を高めることができる。
【００３４】
図８はシロアリ駆除装置を蟻道が形成された壁面に設置した状態を表す図である。
【００３５】
この場合、作業者は、シロアリ駆除装置１を設置するに当たって、壁１０の表面に形成された蟻道１３の一部をベース枠２ａの幅だけ破壊し、その破壊箇所にシロアリ駆除装置１を設置する。尚、蟻道１３内のシロアリがシロアリ駆除装置１の内部に侵入しやすくするため、ベース枠２ａの蟻道１３の開口部に対向する部分には、切り欠きが形成されている。
【００３６】
以上のように設置されたシロアリ駆除装置１において、蟻道１３内のシロアリは、シロアリ駆除装置１内の誘引物質保持部材２ｃに保持された誘引物質に誘引されて、シロアリ駆除装置１内に侵入する。そして、毒餌８を発見し、捕食するようになる。作業者は、シロアリが毒餌８を捕食するようになったことを確認すると、筒蓋４を開けて毒餌８をシロアリ駆除剤に取り替える。これにより、シロアリはシロアリ駆除剤を捕食して巣内のシロアリは壊滅駆除される。
【００３７】
このように、本実施形態に係るシロアリ駆除装置１によれば、シロアリの蟻道の開口部近傍においたシロアリ誘引物質によりシロアリをシロアリ駆除装置１内に積極的に誘引して、シロアリに毒餌８を捕食させることができるため、シロアリが蟻道を放棄したり、シロアリ駆除装置を避けて新たな蟻道を形成することが防止され、シロアリの駆除効果を高めることができる。
【００３８】
【発明の効果】
以上のように、本発明によれば、シロアリをシロアリ誘引物質により誘引して、シロアリに筐体内の毒餌を捕食させる確率を向上させることができるため、シロアリの駆除を効果的に行うことが可能となる。
【図面の簡単な説明】
【図１】本発明の実施形態に係るシロアリ駆除装置の斜視図である。
【図２】本発明の実施形態に係るシロアリ駆除装置の側面破断面図である。
【図３】ベース部材の底部を構成するベース枠の斜視図である。
【図４】ベース部材の底部を構成するベース枠の平面図である。
【図５】ベース部材アセンブリの斜視図である。
【図６】ベース部材アセンブリの側面破断面図である。
【図７】シロアリ駆除装置を内部にシロアリによる食害発生箇所がある壁に設置した状態を表す図である。
【図８】シロアリ駆除装置を蟻道が形成された壁面に設置した状態を表す図である。
【図９】特許文献１記載の従来のシロアリ駆除装置の分解斜視図である。
【図１０】従来のシロアリ駆除装置を壁内にシロアリの食害発生箇所のある壁面に設置した状態を示す図である。
【符号の説明】
１　シロアリ駆除装置
２　ベース部材
２ａ　ベース枠
２ｂ　ベース天板
２ｃ　誘引物質保持部材
２ｄ　外枠
２ｄ’　内周部
２ｄ”　外周部
２ｅ　貼着板
２ｆ　連結板
２ｇ　開口部
２ｈ　側板
２ｉ、２ｉ’　固定螺子穴
２ｊ　仮止螺子穴
２ｌ　突起部
２ｍ　雌螺子
３　毒餌収納部材
４　筒蓋
５　蟻道
６　仮止螺子
８　毒餌
１０　壁
１１　食害発生箇所
１２　穴
１３　蟻道
１００　壁
１０１　シロアリ駆除装置
１０２　毒餌収納枠
１０２ａ、１０２ｂ、１０５ａ、１０５ｂ　螺子穴
１０３　毒餌
１０４　抑板
１０５　枠蓋
１０６　蟻道
【図１】
2004135555.tif 000003
【図２】
2004135555.tif 000004
【図３】
2004135555.tif 000005
【図４】
2004135555.tif 000006
【図５】
2004135555.tif 000007
【図６】
2004135555.tif 000008
【図７】
2004135555.tif 000009
【図８】
2004135555.tif 000010
【図９】
2004135555.tif 000011
【図１０】
2004135555.tif 000012